(57)【要約】【課題】構造が簡単で、砂や塵埃等の夾雑物を殆ど含まない比較的清浄な雨水を清水として貯留し、再利用することのできる雨水利用システムを提供する。【解決手段】雨水を清水として利用するシステムであって、清水流入パイプ３の上端部を軒樋９の底部９１から突出して設けられた清水流入口１と、該軒樋９の底部９１に穿設された竪樋開口部２とからなり、上記竪樋開口部２には夾雑物を含む降雨初期の雨水Ｘが流下し、降雨強度が大きくなり上記清水流入口１の立ち上がり部１１を越えた清水Ｙは上記清水導入パイプ３に流入して貯留槽５に貯留され、再利用される雨水利用システムＡ。【選択図】図１
2007205122.tif 000002
【特許請求の範囲】
【請求項１】
雨水を清水として利用するシステムであって、清水流入パイプの上端部を軒樋の底部から突出して設けられた清水流入口と、該軒樋の底部に穿設された竪樋開口部とからなり、上記竪樋開口部には夾雑物を含む降雨初期の雨水が流下し、降雨強度が大きくなり上記清水流入口の立ち上がり部を越えた清水は上記清水導入パイプに流入して貯留槽に貯留され、再利用される雨水利用システム。
【請求項２】
上記清水導入パイプと竪樋との間には貯留槽の貯留能力を超えたときに溢れ出る清水を竪樋に流す連結管が斜めに架設された請求項１に記載の雨水利用システム。
【請求項３】
上記清水流入口の立ち上がり部の上端部が角取りをして丸みを帯びた形状とされた請求項１に記載の雨水利用システム。
【発明の詳細な説明】
【技術分野】
【０００１】
本発明は、雨水利用システムに関する。さらに詳しくは、軒樋に設けられ、雨水を清水として貯留し、再利用する雨水利用システムに関する。
【背景技術】
【０００２】
近年、水資源の枯渇化に伴い、従来、下水道や河川にそのまま排出されていた雨水を有効に利用するためのシステムが種々提案されている。例えば、下記特許文献１には、建物の屋根または屋上に落下した雨水を下水道管渠に流下する雨水と貯留浸透枡または貯留槽に貯留する雨水とに分流させる分流管に関する技術が開示されている。すなわち、下記特許文献１の第５図には雨水利用システム全体が示され、その第６図、第７図には、貯留浸透枡または貯留槽に通じる内管の上端より所定の距離だけ上方の外管鉛直部の内周面に取り付けられたリング状の分流具が開示されている。
【特許文献１】特開平０８−４１９５７号公報（第１〜５頁、第５図、第６図、第７図）
【発明の開示】
【発明が解決しようとする課題】
【０００３】
しかしながら、上記特許文献１に記載の分流具は通孔や隙間部分が多く、降雨初期の雨水に含まれる砂や塵埃によって目詰まりが生じることが多いという問題がある。そのため、軒樋から排出された雨水を雨水流路から下水道管渠に流下する排水と貯留槽に貯留する清水とに必ずしも確実に分流できるものとはいえない。本発明はこのような問題を解決して、構造が簡単で、砂や塵埃等の夾雑物を殆ど含まない比較的清浄な雨水を清水として貯留し、再利用することのできる雨水利用システムを提供することを、その課題とする。
【課題を解決するための手段】
【０００４】
上記課題を解決するために、本発明においては、つぎのような技術的手段を講じている。すなわち、請求項１に記載の発明によれば、雨水を清水として利用するシステムであって、清水流入パイプの上端部を軒樋の底部から突出して設けられた清水流入口と、該軒樋の底部に穿設された竪樋開口部とからなり、上記竪樋開口部には夾雑物を含む降雨初期の雨水が流下し、降雨強度が大きくなり上記清水流入口の立ち上がり部を越えた清水は上記清水導入パイプに流入して貯留槽に貯留され、再利用される雨水利用システムが提供される。
【０００５】
請求項２に記載の雨水利用システムは、請求項１に記載の発明に加えて、上記清水導入パイプと竪樋との間には清水が貯留槽の貯留能力を超えたときに溢れ出る清水を竪樋に流す連結管が斜めに架設される。
【０００６】
請求項３に記載の雨水利用システムは、請求項１に記載の発明に加えて、上記清水流入口の立ち上がり部の上端部が角取りをして丸みを帯びた形状とされているため、清水は角による抵抗が減殺されてスムースに清水流入口に流入することができる。
【発明の効果】
【０００７】
請求項１に記載の発明にかかる雨水利用システムは上記のとおりであり、軒樋の底部から突出して設けられ、清水導入パイプの上端部である清水流入口と該軒樋の底部に穿設された竪樋開口部とからなり、上記竪樋開口部には砂や塵埃等の夾雑物を含む降雨初期の雨水が流下し、降雨強度が大きくなり上記清水流入口の立ち上がり部を越えた清水は上記清水導入パイプに流入して貯留槽に貯留されるため、貯留槽内の清水には砂や塵埃等の夾雑物が殆ど含まれず、防火用水、植栽用散水、洗車用水等、種々の用途に有効に再利用することができる。
【０００８】
請求項２に記載の雨水利用システムは上記のとおりであり、請求項１の雨水利用システムの有する効果に加え、上記清水導入パイプと竪樋との間には貯留槽の貯留能力を超えて貯蔵される清水を竪樋に流す連結管が斜めに架設されているため、溢れ出た清水は上記連結管の傾斜に沿って流れ、竪樋に導かれ排出することができる。
【０００９】
請求項３に記載の雨水利用システムは上記のとおりであり、請求項１の雨水利用システムの有する効果に加え、上記清水流入口の立ち上がり部の上端部が角取りをして丸みを帯びた、いわゆるＲ形状とされているため、清水は角による抵抗が減殺され、スムースに清水流入口に流入することができる。
【発明を実施するための最良の形態】
【００１０】
以下、本発明の実施形態について図面を参照して詳細に説明する。図１は本発明にかかる雨水利用システムＡの概略構成を示す部分断面正面図である。図２は上記雨水利用システムＡの要部を示す斜視図であり、降雨初期の雨水Ｘが竪樋開口部２に流れ込む状態を示す。図１、図２に示されているように、上記雨水利用システムＡは軒樋９の底部９１から突出して設けられ、清水導入パイプ３の上端部である清水流入口１と軒樋９の底部９１に穿設された竪樋開口部２とからなり、清水導入パイプ３は貯留槽５に連通し、竪樋４は排水ピット７へ接続されている。
【００１１】
降雨初期の雨水Ｘは、屋根や屋上に積もった砂や塵埃等の夾雑物を含んで流下してくるため清水として利用することは困難である。そこで、図２に示すように降雨初期の雨水Ｘは竪樋開口部２へ流し、砂や塵埃等の夾雑物と共に竪樋４を経て排水ピット７へ流下させ、排水管８から下水道や河川へ排出させる。一方、降雨強度が大きくなると、図３に示すように、砂や塵埃等を殆ど含まない比較的清浄な雨水は清水Ｙとして上記清水流入口１の立ち上がり部１１を越え、清水導入パイプ３に流入して図１に示す貯留槽５に貯留される。
【００１２】
降雨が続き、流入する清水Ｙが貯留槽５の貯留能力を超える場合に備えて上記清水導入パイプ３と竪樋４との間には連結管６が斜めに架設されている。図４は、図１に示した清水導入パイプ３と連結管６との接続部Ｂを拡大して示す縦断面図である。図４に示されているように、貯留槽５の貯留能力を超えて貯留された清水Ｙは上記斜設された連結管６に溢れ出て、連結管６の傾斜に沿って流れ、竪樋４に導かれ排出される。一方、貯留槽５に貯留された清水Ｙは防火用水、植栽用散水、洗車用水等、種々の用途に再利用される。
【００１３】
図５は図１におけるＣ−Ｃ線に沿う断面図である。図５において、清水流入口１の立ち上がり部１１の上端部１１１は角取りをされ、丸みを帯びたいわゆるＲ形状となっているため、清水Ｙは角による抵抗が減殺されてスムースに清水流入口１に流入することができる。また、上端部１１１に適当な間隔で断面Ｖ字形の切欠きを設け、軒樋９における清水Ｙの水位が上昇すれば上記切欠き部から清水Ｙが清水流入口１に流入するようにしてもよい（図示せず）。このとき、断面Ｖ字形の切欠きの深さを調節する、あるいは深さを異ならせることにより、比較的雨量の少ない段階でも清水Ｙを得ることができる。このように、本発明は種々設計変更可能であり、特許請求の範囲を逸脱しない限りいずれも本発明の技術的範囲に含まれる。
【図面の簡単な説明】
【００１４】
【図１】本発明にかかる雨水利用システムの概略構成を示す部分断面正面図である。
【図２】上記雨水利用システムの要部を示す斜視図であり、降雨初期の夾雑物を含む雨水が竪樋開口部へ流れ込む状態を示す。
【図３】上記雨水利用システムの要部を示す斜視図であり、比較的清浄な雨水が清水流入口へ流れ込む状態を示す。
【図４】図１に示す清水導入パイプと連結管との接続部Ｂを拡大して示す縦断面図である。
【図５】図１におけるＣ−Ｃ線に沿う断面図である。
【符号の説明】
【００１５】
Ａ          本発明にかかる雨水利用システム
Ｂ          清水導入パイプと連結管との接続部
Ｘ          降雨初期の雨水
Ｙ          清水
１          清水流入口
１１        立ち上がり部
１１１      上端部
２          竪樋開口部
３          清水導入パイプ
４          竪樋
５          貯留槽
６          連結管
７          排水ピット
８          排水管
９          軒樋
９１        底部
【図１】
2007205122.tif 000003
【図２】
2007205122.tif 000004
【図３】
2007205122.tif 000005
【図４】
2007205122.tif 000006
【図５】
2007205122.tif 000007